(57)【特許請求の範囲】
【請求項１】
受信されたＦＭ多重放送番組の、階層３のデータのうちの、各データグループの先頭のデータブロックに対するプリフィックスと、受信されたＦＭ多重放送番組の階層４のデータを第１の記憶手段に記憶させる手段、
データ保存指令を入力するための入力装置、ならびに
データ保存指令が入力されたときに、上記第１の記憶手段に記憶されているプリフィックスと階層４のデータとに基づいて、階層３のデータを生成し、生成した階層３のデータを汎用の記録再生用データとして第２の記憶手段に保存させる手段、
を備えているＦＭ多重放送受信機。
【請求項２】
上記第１の記憶手段と上記第２の記憶手段とが同一の記憶装置である請求項１記載のＦＭ多重放送受信機。
【発明の詳細な説明】
【０００１】
【発明の属する技術分野】
この発明は、ＦＭ多重放送受信機に関する。
【０００２】
【従来の技術】
ＦＭ多重放送は、音声、文字、図形などをステレオ音声とともに放送するものである。つまり、通常のＦＭ放送に、音声、文字、図形を多重して放送するものである。
【０００３】
ＦＭ多重放送の規格の代表的なものには、ＤＡＲＣ（Ｄａｔａ  Ｒａｄｉｏ  Ｃｈａｎｎｅｌ）、固定受信方式およびＲＤＳ（Ｒａｄｉｏ  Ｄａｔａ  Ｓｙｓｔｅｍ  ）  の３方式がある。この中でＤＡＲＣは最も新しく、国際標準規格として採用されている。ＤＡＲＣは、ＩＴＵ−Ｒ（Ｉｎｔｅｒｎａｔｉｏｎａｌ  Ｔｅｌｅｃｏｍｍｕｎｉｃａｔｉｏｎ  Ｕｎｉｏｎ）の勧告８０７「データ放送の参照モデル」に従って記述されている。
【０００４】
ＤＡＲＣは、文字や図形をディジタル情報に変換し、副搬送波周波数７６ｋＨｚ  を変調してステレオベースバンド信号に周波数多重し、ＦＭ変調して放送するものである。
【０００５】
図６は、ＤＡＲＣの文字・図形の符号化方式を表す階層構造を示している。
【０００６】
階層１においては、伝送路特性が指定されている。通常のＦＭステレオ放送信号であるＬ＋Ｒ信号およびＬ−Ｒ信号よりも高周波側に、多重信号が重畳される。この重畳方式は、多重信号の音声信号への妨害が音声変調度が小さいときに顕著となることを考慮して、Ｌ−Ｒ信号の変調度により多重信号のレベルをコントロールするＬＭＳＫ（Ｌｅｖｅｌ  Ｃｏｎｔｒｏｌｌｅｄ  Ｍｉｎｉｍｕｍ  Ｓｈｉｆｔ  Ｋｅｙｉｎｇ）方式が採用されている。
【０００７】
階層２は、誤り訂正方式を含む、データのフレーム構成が規定されている。各フレームは、列方向に２７２ブロックからなり、先頭には１６ビットのブロック識別符号（ＢＩＣ：Ｂｌｏｃｋ  Ｉｄｅｎｔｉｆｉｃａｔｉｏｎ  Ｃｏｄｅ）が付加され、このブロック識別符号に基づいてフレーム同期およびブロック同期が行なわれる。列方向の２７２ブロックのうち、１９０ブロックはデータを伝送するパケットであり、８２ブロックは列方向のパリティを伝送するパリティパケットである。各パケットは、行方向に１７６ビットのデータ部、誤り検出符号である１４ビットのＣＲＣ（Ｃｙｃｌｉｃ  Ｒｅｄｕｎｄａｎｃｙ  Ｃｏｄｅ）  および８２ビットの横方向のパリティ部より構成されている。
【０００８】
送信データは、この１フレームを基本単位として、この階層の段階でまず誤り訂正が行なわれる。なお、実際には、図７に示すように、縦方向にはパケットとパリティパケットとが所定の順序に並び替えられたフレーム構成で送信データが送出される。
【０００９】
階層３は、データパケットの構成を規定している。データパケットは、フレーム内の各行のうち、ＢＩＣ、ＣＲＣおよびパリティを除いた１７６ビットからなる。データパケットは、プリフィックスとデータブロックで構成されている。
【００１０】
階層４は、データグループの構成を示している。データグループは、１または複数のデータブロックで構成されている。このデータグループにも誤り検出符号であるＣＲＣが含まれ、送信データはこの階層においても誤り検出が行なわれる。１つのデータグループは、１ページのデータに対応している。
【００１１】
階層５は、ＦＭ多重放送により伝送される１まとまりの情報、すなわち、番組データの構成を規定する。
【００１２】
図８は、パーソナルコンピュータを利用したＦＭ放送受信機の概略構成を機能ブロックを用いて示している。
【００１３】
このＦＭ多重放送受信機は、チューナ３０１、多重受信ＬＳＩ３０２、受信処理部３０３、番組再構成部３０４、番組解析部３０５、表示処理部３０６、描画部３０７および表示器３０８を備えている。パーソナルコンピュータを利用したＦＭ放送受信機では、チューナ３０１、多重受信ＬＳＩ３０２および受信処理部３０３は、ＰＣカード等によって構成される。また、番組再構成部３０４、番組解析部３０５、表示処理部３０６、描画部３０７および表示器３０８は、パーソナルコンピュータによって構成される。
【００１４】
多重受信ＬＳＩ３０２は、チューナ３０１からの出力に基づいてＬＭＳＫ復調と誤り訂正とを行う。多重受信ＬＳＩ３０２では、階層１のデータが階層２のデータに変換される。
【００１５】
受信処理部３０３は、ＬＳＩ３０２から出力されるブロック単位のデータのうち、必要なもののみ取り込む。受信処理部３０３では、階層２のデータが階層３のデータに変換される。
【００１６】
番組再構成部３０４は、番組再構成を行う。番組再構成部３０４では、階層３のデータが階層４のデータに変換される。
【００１７】
番組解析部３０５は、八単位符号系にしたがった復号処理を行う。番組解析部３０５では、階層４のデータが階層６（八単位符号体系）のデータに変換される。
【００１８】
表示処理部３０６は、描画パターンを取得するとともに描画パターンに各種の加工を施す。描画部３０７は、表示処理部３０６によって得られた描画パターンを表示器３０８に出力する。
【００１９】
【発明が解決しようとする課題】
ところで、このようなＦＭ多重放送受信機において、受信された番組を汎用的に記録再生できるデータ形式で保存する方法には、番組解析部３０５によって得られたテキストデータを保存する方法、表示処理部３０６によって得られたビットマップデータを保存する方法等がある。
【００２０】
しかしながら、受信番組をテキスト形式またはビットマップ形式で保存すると、番組の階層構造や番組選択、描画動作等の情報が保存されないため、受信時の番組を忠実に再現できないという問題がある。
【００２１】
そこで、番組再構成部３０４によって得られた階層４のデータのみを保存することも考えられるが、階層４のデータのみを保存した場合には、サービス識別等のデータを含むプリフィックスが無いため、受信時の番組を忠実に再現できないという問題がある。なお、ＦＭ多重放送受信機において、階層４のデータをＲＡＭに保存する際には、プリフィックスが反映されるように、独自の方法でＲＡＭに保存される。階層４のデータのＲＡＭへの格納方式は、全てのＦＭ多重放送受信機において統一されているものではない。
【００２２】
この発明の目的は、ＦＭ多重放送を再生するための各種アプリケーションによって、受信時の番組を忠実に再現できるようなデータ形式で受信番組を保存できる機能を備えたＦＭ多重放送受信機を提供することにある。
【００２３】
【課題を解決するための手段】
この発明によるＦＭ多重放送受信機は、受信されたＦＭ多重放送番組の、階層３のデータのうちの、各データグループの先頭のデータブロックに対するプリフィックスと、受信されたＦＭ多重放送番組の階層４のデータを第１の記憶手段に記憶させる手段、データ保存指令を入力するための入力装置、ならびにデータ保存指令が入力されたときに、上記第１の記憶手段に記憶されているプリフィックスと階層４のデータとに基づいて、階層３のデータを生成し、生成した階層３のデータを汎用の記録再生用データとして第２の記憶手段に保存させる手段、を備えていることを特徴とする。
【００２４】
また、上記第１の記憶手段と上記第２の記憶手段とが同一の記憶装置で構成されている。
【００２５】
【発明の実施の形態】
以下、図１〜図５を参照して、この発明を、パーソナルコンピュータを利用したＦＭ多重放送受信機に適用した場合の実施の形態について説明する。
【００２６】
図１は、パーソナルコンピュータを利用したＦＭ多重放送受信機の概略構成を機能的に示している。図１において、図８に対応するものには、同じ符号が記してある。番組再構成部３０４によって得られた階層４のデータはパーソナルコンピュータの記憶装置４４（図４参照）に蓄積される。このＦＭ多重放送受信機では、従来と異なり、受信処理部３０３で得られた階層３のデータのうち、各データグループの先頭のデータブロックに対するプリフィックスも、パーソナルコンピュータの記憶装置４４（図４参照）に蓄積される。
【００２７】
そして、受信されたＦＭ多重放送番組を、汎用的に記録再生できるデータ形式で保存する場合には、階層３変換部３１１によって、階層４のデータが階層３のデータに変換される。そして、得られた階層３のデータが、汎用データ保存部３１２によって、パーソナルコンピュータの記憶装置４４に汎用データとして保存される。階層３変換部３１１は、記憶装置４４に蓄積されている階層４のデータを、記憶装置４４に記憶されている各データグループの先頭のデータブロックに対するプリフィックスに基づいて、階層３のデータに変換する。
【００２８】
階層３の各データブロックに対するプリフィックスは、図２に示すように、番組内容（一般情報、交通情報、付加情報、補助情報、運用信号）の識別を行なうサービス識別符号、復号識別フラグ、情報終了フラグ、更新フラグ、データグループ番号およびデータパケット番号からなる。各データブロックに対するプリフィックスは、各データグループの先頭のデータブロックに対するプリフィックスに基づいて、再生される。
【００２９】
つまり、サービス識別符号、復号識別フラグ、更新フラグおよびデータグループ番号は、１つのデータグループ内において同一であるので、各データブロックに対するこれらの情報は、各データグループの先頭のデータブロックに対するプリフィックス内のこれらの情報と同じとなる。また情報終了フラグは、最終パケットにおいてのみ１を立てるようにする。また、各データブロックに対するデータパケット番号は、データグループの先頭のデータブロックのデータパケット番号から昇順に割り当てるようにする。
【００３０】
図３は、パーソナルコンピュータを利用したＦＭ多重放送受信機の外観を示している。
【００３１】
ＦＭ多重放送受信機は、ノート型パソコン１０１と、後述するＦＭ多重デコード部１５（図１の多重受信ＬＳＩ３０２および受信処理部３０３に相当する）を構成するＰＣカード１０２と、後述するＦＭチューナ部１４（図１のチューナ３０１に相当する）を構成するチューナユニット１０３とからなる。
【００３２】
ノート型パソコン１０１は、特定のソフトウエアがインストールされることにより、図１の番組再構成部３０４、番組解析部３０５、表示処理部３０６、描画部３０７、表示器３０８、階層３変換部３１１および汎用データ保存部３１２の機能を備えている。
【００３３】
図４は、ＦＭ多重放送受信機の電気的構成を示している。
【００３４】
アンテナ１２によって受信されたＦＭ多重放送信号は、ＦＭチューナ部１４のＦＭ復調回路２に送られる。ＦＭ復調回路２に送られたＦＭ多重放送信号は、ＰＬＬ回路４から出力される局部発振波により同期検波が行われた後、バッファ６を介してＦＭ多重デコード部１５に出力される。
【００３５】
ＦＭ多重デコード部１５に入力された信号は、バッファ回路８を介して、バンドパスフィルタ１８に送られる。バンドパスフィルタ１８では、所定の周波数帯域の信号成分が取り出される。バンドパスフィルタ１８の出力は復調ＬＳＩ２０に送られ、ＬＭＳＫ復調、同期検出および誤り訂正が行われる。
【００３６】
ＣＰＵ２６は、復調ＬＳＩ２０から１８ｍｓｅｃ毎に発生するデータ転送要求を受けて、復調ＬＳＩ２０からの受信データを読み出す。ＲＡＭ２８には、ＣＰＵ２６からのデータが、１８ｍｓｅｃ毎に１パケットの割合で蓄積される。ＲＡＭ２８は、インターフェース３０に対してデータを出力するためのバッファとして動作する。
【００３７】
アドレスデコーダ３２は、ＣＰＵ２６がパソコン１０１にアクセスしたことを検知すると、インターフェース３０からデータを出力させる。コントローラ３４は、通常は、インターフェース３０からの出力データ（階層３のデータ）を受けて、パソコン１０１に対してデータの出力を行う。ただし、装置の立ち上げ時等においては、コントローラ３４は、ＲＯＭ３５に記憶されているデータに基づいて、インターフェース３０、３８間の初期設定を行う。
【００３８】
パソコン１０１のＣＰＵ４０は、インターフェース３８を介して、ＦＭ多重デコード部１５から出力されるパケットデータ（階層３のデータ）を受信する。ＣＰＵ４０は、受信したパケットデータからデータブロックを抽出し、データブロックからデータグループを再構成し、データグループに対して誤り検出を行う。また、ＣＰＵ４０は、受信したパケットデータから各データグループの先頭のデータブロックに対するプリフィックスを抽出して記憶装置４４に記憶する。
【００３９】
再構成された番組データグループは、各番組ごとに順次記憶装置４４にページ単位で記憶される。ＣＰＵ４０は、所定のページデータを選択して、表示部４２に出力する。表示部４２は送られてきたページデータに基づいて、対応する文字情報、図形情報を出力する。
【００４０】
ＣＰＵ４０は、ユーザによって受信番組の保存指令が入力された場合には、データ保存処理を行う。
【００４１】
図５は、ＣＰＵ４０によるデータ保存処理手順を示している。
【００４２】
まず、記憶装置４４に格納されている階層４のデータグループデータと、各データグループの先頭のデータブロックに対するプリフィックスを取得する（ステップ１）。
【００４３】
次に、取得したデータグループデータを構成している各データブロックに対するプリフィックスを、ステップ１で取得した各データグループの先頭のデータブロックに対するプリフィックスに基づいて再生し、階層４に含まれている各データブロックに対応するプリフィックスを追加する（ステップ２）。このようにして、階層３のデータを生成する。
【００４４】
得られた階層３のデータを、汎用の記録再生用データとして、記憶装置４４に保存する（ステップ３）。このような処理が、全番組に対して終了すると（ステップ４）、今回のデータ保存処理は終了する。
【００４５】
上記実施の形態によれば、階層３のデータを、汎用の記録再生用データとして保存することができる。したがって、ＦＭ多重放送を再生するための各種のアプリケーションにおいて、保存したデータから、受信時の番組を忠実に再現できるようになる。
【００４６】
【発明の効果】
この発明によれば、ＦＭ多重放送を再生するための各種アプリケーションによって、受信時の番組を忠実に再現できるようなデータ形式で受信番組を保存できる機能を備えたＦＭ多重放送受信機が実現する。
【図面の簡単な説明】
【図１】ＦＭ多重受信機の概略構成を機能的に示すブロック図である。
【図２】階層３のデータパケットの構成を示す模式図である。
【図３】ＦＭ多重受信機の外観を示す斜視図である。
【図４】ＦＭ多重受信機の電気的構成を機能的に示すブロック図である。
【図５】ＣＰＵ４０によるデータ保存処理手順を示すフローチャートである。
【図６】ＤＡＲＣの文字・図形の符号化方式を表す階層構造を示す模式図である。
【図７】ＤＡＲＣのフレーム構成を示す模式図である。
【図８】従来のＦＭ多重受信機の構成を機能的に示すブロック図である。
【符号の説明】
１４  ＦＭチューナ部
１５  ＦＭ多重デコード部
１０１  パソコン
４０  ＣＰＵ
４４  記憶装置
３１１  階層３変換部
３１２  汎用データ保存部
【図１】
0003594428.tif 000002
【図２】
0003594428.tif 000003
【図３】
0003594428.tif 000004
【図４】
0003594428.tif 000005
【図５】
0003594428.tif 000006
【図６】
0003594428.tif 000007
【図７】
0003594428.tif 000008
【図８】
0003594428.tif 000009